(57)【特許請求の範囲】
【請求項１】
フロント板に垂直な前後方向に案内されたデッドボルトと、シリンダ錠及びサムターンに連係され、フロント板から前方に突出する施錠位置及び錠箱内に引込む解錠位置の何れかにデッドボルトを選択的に駆動するデッドカムとを夫々有する１対の施解錠ユニットを、１個の錠箱内に上下方向に沿って連設し、各施解錠ユニットにおけるデッドカムに、デッドボルトに形成された従動切欠と係合してデッドボルトを前後に駆動する第１作動アームと、この第１作動アームより前方の角度位置にあり半径方向に延伸する第２作動アームとを形成し、この第２作動アームの先端に係合ピンを植設し、一方、一対のデッドカムの前方に、一対のデッドボルトと交差するようにして、上下方向に延在し、同方向に移動可能に案内された連動杆を配設し、この連動杆に、各施解錠ユニットの第２作動アームに対応して、第２作動アームの係合ピンの回動軌跡と一部干渉するように延在し、基端を連動杆に支承されて錠箱の側板に平行な平面内で回動可能に案内され、自由端に係合ピンと係脱可能な連動切欠を形成すると共に、自由端を後方に付勢された制御レバーを設け、連動杆が解錠位置にあるとき、この制御レバーの連動切欠と係合ピンとを係合させ、以て一対の施解錠ユニットを連動杆を介して連係させ、一方の施解錠ユニットを施錠するときこれに連動して他方の施解錠ユニットを施錠するようにし、連動杆が施錠位置にあるとき、第２作動アームの解錠方向への回動に際し制御レバーの自由端が一旦前方に移動して係合ピンとの干渉を避けた後、その付勢力により後方に復帰回動してその連動切欠を係合ピンと係合させることにより、各施解錠ユニットを独立に解錠できるようにしたことを特徴とする扉の施錠装置。
【請求項２】
フロント板に垂直な前後方向に案内されたデッドボルトと、シリンダ錠及びサムターンに連係され、フロント板から前方に突出する施錠位置及び錠箱内に引込む解錠位置の何れかにデッドボルトを選択的に駆動するデッドカムとを夫々有する１対の施解錠ユニットを、１個の錠箱内に上下方向に沿って連設し、各施解錠ユニットにおけるデッドカムに、デッドボルトに形成された従動切欠と係合してデッドボルトを前後に駆動する第１作動アームと、この第１作動アームより前方の角度位置にあり半径方向に延伸する第２作動アームとを形成し、この第２作動アームの先端に係合ピンを植設し、一方、一対のデッドカムの前方に、一対のデッドボルトと交差するようにして、上下方向に延在し、同方向に移動可能に案内された連動杆を配設し、この連動杆に、各施解錠ユニットの第２作動アームに対応して、第２作動アームの係合ピンの回動軌跡と一部干渉するように延在し、基端を連動杆に支承されて錠箱の側板に平行な平面内で回動可能に案内され、自由端に係合ピンと係脱可能な連動切欠を形成すると共に、自由端を後方に付勢された制御レバーを設け、連動杆が解錠位置にあるとき、この制御レバーの連動切欠と係合ピンとを係合させ、以て一対の施解錠ユニットを連動杆を介して連係させ、一方の施解錠ユニットを施錠するときこれに連動して他方の施解錠ユニットを施錠するようにし、連動杆が施錠位置にあるとき、第２作動アームの解錠方向への回動に際し制御レバーの自由端が一旦前方に移動して係合ピンとの干渉を避けた後、その付勢力により後方に復帰回動してその連動切欠を係合ピンと係合させることにより、各施解錠ユニットを独立に解錠できるようにし、他方、連動杆の解錠方向の端部近傍にばねとガバナーを有する機械的なタイマーを設け、このタイマーの出力軸に中央部を支持され、錠箱の側板に平行な平面内で回動するタイマー腕の一端をセット端、他端を作動端とし、上下方向に延在し、錠箱のフロント板の裏面に沿って上下方向に移動可能に案内された停止杆の一端をタイマー腕の他端に連係させると共に、停止杆の後方に一対の制御レバーの夫々に対応して係止部を突設し、一の施解錠ユニットを解錠させたとき、連動杆の解錠方向の移動によって、連動杆に担持されたセットレバーを介してタイマー腕をセットし、その作動端の回動によって、停止杆の係止部が制御レバーの自由端と干渉する位置から離間させて他の施解錠ユニットの解錠を可能にし、タイマーによって設定された一定時間経過後は、その作動端の動きを停止杆に伝達し、その係止部を制御レバーの自由端に近接させてその回動を阻止させるようにしたことを特徴とする扉の施錠装置。
【発明の詳細な説明】
【０００１】
【発明の属する技術分野】
この発明は、扉の施錠装置（以下単に施錠装置という）に係り、特に、所謂ピッキングを不可能にした新規な施錠装置に関する。
【０００２】
【従来の技術】
従来、一つの扉に二つの施錠装置を装着した所謂ワンドア・ツーロックという施錠装置が実用されている。
【０００３】
このワンドア・ツーロックは、一つの扉の自由側端縁に鉛直方向に沿って二つの錠箱を装着したもので、各錠箱は、少なくとも、デッドボルト及びこれを操作するデッドカム装置、シリンダ錠及び室内側のサムターンを有し、通常、二つのシリンダ錠は一つの合鍵で施解錠する。
【０００４】
そして、このワンドア・ツーロック装置の存在理由は、ピッキングの操作を２倍にして、ピッキングを非常に困難にするためである。
【０００５】
【発明が解決しようとする課題】
シリンダ錠が２個装着されていると、犯罪者の心理的な限界時間である１個のシリンダ錠のピッキング時間が２倍になるので、犯罪者がピッキングの実行を躊躇し、その為ワンドア・ツーロックは防犯上安全な施錠装置であることが実証されている。
【０００６】
しかしながら、合鍵の正規の所有者にとっても施解錠操作が２倍になるので、しばしば面倒になり、外出時１個のシリンダ錠のみを施錠することが常態になると、折角のワンドア・ツーロックが通常の施錠装置と変らなくなってしまう。
【０００７】
そこで、請求項１に記載の発明は、何れか一方のシリンダ錠或いはサムターンを施錠方向に操作すると、連動して他方のシリンダ錠も施錠できるようにした施錠装置を提供し、以てワンドア・ツーロックの使い勝手を向上させることを目的としている。
【０００８】
また、請求項２に記載の発明は、請求項１に記載の発明による施錠装置の機能に加えて、一のシリンダ錠を解錠した後一定時間以内に他のシリンダ錠を解錠しない場合、他のシリンダ錠解錠後デッドボルトを引っ込めることができないようにした施錠装置を提供し、以てピッキングに対する安全性を向上させることを目的としている。
【０００９】
【課題を解決するための手段】
上記の目的を達成するため、請求項１に記載の発明は、フロント板に垂直な前後方向に案内されたデッドボルトと、シリンダ錠及びサムターンに連係され、フロント板から前方に突出する施錠位置及び錠箱内に引込む解錠位置の何れかにデッドボルトを選択的に駆動するデッドカムとを夫々有する１対の施解錠ユニットを、１個の錠箱内に上下方向に沿って連設し、各施解錠ユニットにおけるデッドカムに、デッドボルトに形成された従動切欠と係合してデッドボルトを前後に駆動する第１作動アームと、この第１作動アームより前方の角度位置にあり半径方向に延伸する第２作動アームとを形成し、この第２作動アームの先端に係合ピンを植設し、一方、一対のデッドカムの前方に、一対のデッドボルトと交差するようにして、上下方向に延在し、同方向に移動可能に案内された連動杆を配設し、この連動杆に、各施解錠ユニットの第２作動アームに対応して、第２作動アームの係合ピンの回動軌跡と一部干渉するように延在し、基端を連動杆に支承されて錠箱の側板に平行な平面内で回動可能に案内され、自由端に係合ピンと係脱可能な連動切欠を形成すると共に、自由端を後方に付勢された制御レバーを設け、連動杆が解錠位置にあるとき、この制御レバーの連動切欠と係合ピンとを係合させ、以て一対の施解錠ユニットを連動杆を介して連係させ、一方の施解錠ユニットを施錠するときこれに連動して他方の施解錠ユニットを施錠するようにし、連動杆が施錠位置にあるとき、第２作動アームの解錠方向への回動に際し制御レバーの自由端が一旦前方に移動して係合ピンとの干渉を避けた後、その付勢力により後方に復帰回動してその連動切欠を係合ピンと係合させることにより、各施解錠ユニットを独立に解錠できるようにしたことを特徴とする。
【００１０】
また、請求項２に記載の発明は、上記請求項１に記載の発明の構成に加えて、連動杆の解錠方向の端部近傍にばねとガバナーを有する機械的なタイマーを設け、このタイマーの出力軸に中央部を支持され、錠箱の側板に平行な平面内で回動するタイマー腕の一端をセット端、他端を作動端とし、上下方向に延在し、錠箱のフロント板の裏面に沿って上下方向に移動可能に案内された停止杆の一端をタイマー腕の他端に連係させると共に、停止杆の後方に一対の制御レバーの夫々に対応して係止部を突設し、一の施解錠ユニットを解錠させたとき、連動杆の解錠方向の移動によって、連動杆に担持されたセットレバーを介してタイマー腕をセットし、その作動端の回動によって、停止杆の係止部が制御レバーの自由端と干渉する位置から離間させて他の施解錠ユニットの解錠を可能にし、タイマーによって設定された一定時間経過後は、その作動端の動きを停止杆に伝達し、その係止部を制御レバーの自由端に近接させてその回動を阻止させるようにしたことを特徴とする。
【００１１】
【実施例】
以下この発明の実施例を図面を参照して説明する。なお、説明の都合上請求項１に記載の発明について先に説明する。
図１乃至３において符号１は錠箱を示し、この錠箱１は、フロント板２を扉の自由側端縁と同一面にして扉の自由側端縁部に埋設される。
【００１２】
この錠箱１内には、１対の施解錠ユニット３、３が上下方向に沿って連設されている。
【００１３】
各施解錠ユニット３は、デッドボルト４とデッドカム５とを備え、デッドボルト４は、例えば、デッドボルト４の後端部に植設されたガイドピン６（図２参照）と、錠箱の側板に開口した案内長孔７との係合、及びデッドボルト４とフロント板２の開口との係合よりなる案内機構によってフロント板に垂直な前後方向（図で左右方向）に移動可能に案内されている。
【００１４】
また、デッドカム５は、図示を省略するシリンダ錠の内筒及び室内側のサムターンに連係され、デッドボルト４をフロント板２から前方に突出した施錠位置（図２参照）と、錠箱１内に引込む解錠位置（図１参照）の何れかに選択的に駆動する。
【００１５】
デッドボルト４の後端部の下方の側端縁には、コ字形切欠の開口端縁部に面を取った形状の従動切欠８が形成されている。
【００１６】
これに対応して、デッドカム５の所定の角度位置に半径方向に延伸する第１作動アーム９が一体に形成されており、この第１作動アームの先端と上記従動切欠８との係合を介して、デッドカム５の例えば９０度の揺動により、デッドボルト４をフロント板２から出没させる。
【００１７】
図示の実施例では、第１作動アーム９の先端に付番しない駆動ピンが植設されており、第１作動アーム９のこの駆動ピンを介してデッドボルト４と係合する。
【００１８】
なお、図１において符号１１はクリック杆を示し、このクリック杆１１は、その周りに巻装される圧縮コイルばねが思案点の左右で急激に伸張する勢いを利用して、施解錠時デッドボルト４の動きにスナップアクションを与える。
【００１９】
上記のように構成された施解錠ユニット３は、通常の錠装置におけると同様であるから、更に詳細な説明は省略する。
【００２０】
上記第１作動アームより前方の角度位置におけるデッドカム５の部分には、第１作動アームと同様に半径方向に延伸する第２作動アーム１３（図２参照）が一体に形成されており、この第２作動アーム１３の先端には図示の実施例では下向きに係合ピン１４が植設されている。
【００２１】
一方、１対のデッドカム５、５の前方に、１対のデッドボルト４、４と交差するようにして、上下方向に延在する連動杆１５が同方向に移動可能に案内されて配設されている。
【００２２】
図示の実施例における連動杆１４は、一対の細長い板材を複数の連結柱１６、１６によって一体的に結合すると共に、その中央部に形成された付番しない長穴を側板に植設された一対の案内支柱１７、１７によって上下方向に移動可能に案内されている。
【００２３】
この連動杆１５の手前側の板材の裏側には、各施解錠ユニット３の第２作動アーム１３に対応して、一対の制御レバー１８、１８が配設されている。
【００２４】
各制御レバー１８は、前記係合ピン１４の移動軌跡１９（図２及び図３参照）と一部干渉するように上下方向に延在するレバー体で、基端（下端）を支軸２１により連動杆１５に支承されて錠箱１の側板に平行な平面内で回動できるように案内されている。
【００２５】
また、制御レバー１８の自由端の後方の側端縁には、図２に示すように、前記係合ピン１４と係脱可能な鈎部付きの連動切欠２２が形成されている。
【００２６】
更にまた、この制御レバー１８は、支軸２１に巻装された図示しない捩りコイルばねの弾力により、図１乃至図３で反時計方向に付勢されているが、制御レバー１８に外力が作用しない常態においては、制御レバーの自由端部に植設された係止ピン２０が連動杆１５に開口した付番しないガイド穴の後端に係合することにより図示の角度位置を保っている。
【００２７】
なお、図１に示すように連動杆１５が上昇して解錠位置にあるとき、各施解錠ユニット３の係合ピン１４が制御レバー１８の連動切欠２２と係合するように、第２作動アーム１３の長さ、第１作動アーム９に対する関係角度位置及び連動杆１５における制御レバー１８の装着位置が設定されている。
【００２８】
上記のように構成された請求項１に記載の発明の一実施例による施錠装置は、図１に示す解錠状態から外出の為例えば下方のシリンダ錠を施錠するとする。
【００２９】
すると、図１で下方のデッドカム５が時計方向に回動するので、これと一体の第１作動アーム９が下方のデッドボルト４を前方に押動すると共に、下方の第２作動アーム１３が制御レバー１８との係合を介して連動杆１５を下方に押動する。
【００３０】
従って、下方に移動する上方の制御レバー１８が上方の第２作動アーム１３を時計方向に回動させるので、上方のデッドカム５が時計方向に回動して上方の施解錠ユニット３も連動して施錠される。
【００３１】
つまり、下方の施解錠ユニット３の施錠方向の作動が連動杆１５を介して上方の施解錠ユニット３に伝達され、図２に示すように、上下双方のデッドボルト４が前方に突出して、双方の施解錠ユニット３、３が同時に施錠される。
【００３２】
この作動は、上方の施解錠ユニット３を施錠したときも同様である。このときには上方の係合ピン１４が連動杆１５を押上げる。
【００３３】
なお、図１及び図２から明らかなように、第２作動アーム１３が連動杆１５を図２に示す施錠位置にまで押し下げた後、係合ピン１４は制御レバー１８を少し時計方向に押動して連動切欠２２との係合を解き、図２に示す角度位置で止まる。
【００３４】
一方、帰宅した家人が例えば先に下方の施解錠ユニット３を解錠すると、図２の状態から下方のデッドカム５が反時計方向に回動し、その係合ピン１４が下方の制御レバー１８の後方の側端縁と当接して制御レバー１８を前方に倒し、更に反時計方向に回動すると、図３に示すように、付勢力により反時計方向に復帰回動する制御レバー１８の連動切欠と係合する。
【００３５】
次いで、上方の施解錠ユニット３を解錠すると、上方の第２作動アームの係合ピン１４が制御レバー１８の下端を掠めて後方の側端縁に当接するが、制御レバー１８は前方に倒れて係合ピン１４、及びこれと一体の第１及び第２作動アーム９、１３の回動を許し、その結果、図１に示すように、上方の施解錠ユニット３も解錠され、図１に示す解錠状態に戻る。
【００３６】
つまり、この発明による施錠装置は、施錠するときは１対の施解錠ユニット３、３の何れかを施錠すれば他の施解錠ユニットも施錠されるが、解錠するときには、従来のワンドア・ツーロックの施錠装置と同様に、一つずつ解錠する。
【００３７】
次に、請求項２に記載の発明の一実施例による施錠装置を図４に示すように構成する。なお、図４は図１と同様に解錠状態を示す。
【００３８】
図４において錠箱１の下端に機械的なタイマー２３が配設されている。このタイマー２３は、例えば料理において調理時間を計る、或いは風呂桶の水の量を管理する、等の目的の為に市販されている機械的なタイマーをその侭利用できる。
【００３９】
このタイマー２３は、例えばゼンマイ等のばねと、このばねが巻解れるときに増速されて回転するラチェット歯車及びこれと係合するガバナー等を備えたもので、この様な機械的なタイマーの構成は従来周知であるから、更に詳細な説明は省略する。
【００４０】
このタイマー２３の出力軸に、タイマー腕２４を、錠箱の側板に平行な平面内で回動可能に装着する。
【００４１】
このタイマー腕２４は、中央部をタイマーの出力軸に支持され、その図における右端をセット端、左端を作動端としている。
【００４２】
一方、図４に示すように、上下方向に延在し、フロント板２の裏面に沿って上下方向に移動可能に案内された停止杆２５を設け、この停止杆２５の上端をＬ字形の連結部２６を介して上記タイマー腕２４の作動端に連係させる。
【００４３】
他方、図５及び図８に示すように連動杆１５が施錠位置にあるとき、その解錠方向の端部、すなわち上端部に一端を支持され、フロント板２に平行な平面内で揺動可能に案内されたセットレバー２７の他端をタイマー腕２４のセット端（右端）に係合可能に臨ませる。
【００４４】
このセットレバー２７は、そのセットレバー軸２８（図８参照）に巻装された図示しない捩りコイルばねの弾力により、図８で反時計方向に付勢されているが、セットレバー２７に外力が作用しない状態においては、図示しないストッパーにより、図８の角度位置を保つ。
【００４５】
また、停止杆２５の後方には一対の制御レバー１８、１８の夫々に対応して衝止部２９、２９（図４参照）が突設されている。
【００４６】
この係止部２９は、図４に示すように連動杆１５が解錠角度位置にあるとき、その上端の隅部が制御レバー１８の前方の突出部の下端隅部に前方から衝止可能に臨んでいる。
【００４７】
上記のように構成された請求項２に記載の一実施例による施錠装置は、一方の施解錠ユニット３を施錠方向に作動させれば、図４に示す解錠状態から、図５に示すように、上下の施解錠ユニット３、３が施錠されることは前記した請求項１に記載された発明と同様である。
【００４８】
この施錠状態から、例えば上方の施解錠ユニット３を解錠すると、図６に示すように、上方の第２作動アームの係合ピン１４の回動により連動杆１５が上昇する。
【００４９】
同時に、連動杆の上端のセットレバー２７がタイマー腕２４のセット端を押し下げる。
【００５０】
上記のようにしてセットレバー２７によりタイマー腕２４が反時計方向に回動すると、タイマー腕の作動端が下降し、そのタイマー腕２４の回動は連結部２６を介して停止杆２５に伝達され、図６に示すように、停止杆２５が下降してその衝止部２９が制御レバー１８に対して相対的に下降する。
【００５１】
この状態で下方の施解錠ユニット３を解錠方向に作動させれば、その係合ピン１４が反時計方向に回動して制御レバー１８を時計方向に回動させても、制御レバー１８と衝止部２９とが干渉しないから解錠が可能である。
【００５２】
しかしながら、一方の施解錠ユニット３をピッキングにより解錠した場合、他方の施解錠ユニット３を解錠するまでに相当の時間が掛かる。
【００５３】
このときには、図７に示すように、タイマー腕２４が元の角度位置に戻ってしまい、停止杆２５の各衝止部２６が各制御レバー１８の一部に前方から近接してこれに臨むようになるので、下方の施解錠ユニット３を解錠させようとする係合ピン１４は、制御レバー１８を介して停止杆２５に衝止され、回動することができない。
【００５４】
従って合鍵を使用して双方のシリンダ錠を素速く解錠しない限りこの施錠装置を解錠することができない。
【００５５】
ちなみに、図５に示す施錠状態ではセットレバー２７に対しタイマー腕２４は図８のＡの位置にあり、図８で連動杆１５が左方に移動してタイマー２３をセットすると、タイマー腕２４は所定の角度回動して、そのセット端はセットレバー２７の先端の鈎部を擦るようにして図８で右方に移動し、Ｂの位置に致る。
【００５６】
更に、タイマー２３が作動してタイマー腕２４が時計方向に回動すると、図７及び図８のＣに示すように、タイマー腕のセット端は図８においてセットレバーの先端から離間するように右方に移動する。
【００５７】
この状態から連動杆１５が施錠方向に移動すると、タイマー腕のセット端２４は図８においてＣの位置からＢの位置に移動し、更に、セットレバーの先端の鈎部下側の斜面と係合し、これを楔作用により上方に押動してＡの位置に復帰する（図５参照）。
【００５８】
【発明の効果】
以上の説明から明らかなように、請求項１及び２に記載の発明は、連動杆に担持された制御レバーの連動切欠と第２作動アームの係合ピンとの係合を介して一対の第１作動アームを同時に施錠方向に回動させることができるから、一方の施解錠ユニットの施錠方向の作動により他方の施解錠ユニットを同時に施錠することができ、施解錠装置の使い勝手が向上する。
【００５９】
また、一方の施解錠ユニットを解錠するときには、他方の施解錠ユニットの係合ピンの連動杆との係合を解いた状態で連動杆を移動させるので、解錠は従来通り施解錠ユニットごとに独立して行うことができ、施解錠装置の安全性を損うことはない。
【００６０】
更にまた、請求項２に記載の発明は、上記請求項１に記載の効果に加えて、一方の施解錠ユニットの解錠操作と同時に機械的なタイマーを作動させて、このタイマーの作動中にのみ停止杆の衝止部を制御レバーとの非係合位置に置くようにしたので、ピッキング等により一方の施解錠ユニットを解錠し、他方の施解錠ユニットの解錠に相当の時間が掛かる場合には、他方の施解錠ユニットの解錠を不可能にして施錠装置の安全性を高めることができる、等種々の効果を奏する。
【図面の簡単な説明】
【図１】請求項１に記載の発明の一実施例による施錠装置の側面図で、一対の施解錠ユニットが共に解錠されている状態を示す。
【図２】請求項１に記載の発明の一実施例による施錠装置の側面図で、一対の施解錠ユニットが共に施錠されている状態を示す。
【図３】請求項１に記載の発明の一実施例による施錠装置の側面図で、一対の施解錠ユニットの一方が施錠され、他方が解錠されている状態を示す。
【図４】請求項２に記載の発明の一実施例による施錠装置の側面図で、一対の施解錠ユニットが共に解錠されている状態を示す。
【図５】請求項２に記載の発明の一実施例による施錠装置の側面図で、一対の施解錠ユニットが共に施錠されている状態を示す。
【図６】請求項２に記載の発明の一実施例による施錠装置の側面図で、一対の施解錠ユニットの一方が解錠されると共に、タイマーが作動し始めた状態を示す。
【図７】請求項２に記載の発明の一実施例による施錠装置の側面図で、一対の施解錠ユニットの一方が解錠されると共に、タイマーが作動し終えた状態を示す。
【図８】図５のＶＩＩＩ−ＶＩＩＩ線によるセットレバーの線図的拡大正面図。
【符号の説明】
１  錠箱
２  フロント板
３  施解錠ユニット
４  デッドボルト
５  デッドカム
８  従動切欠
９  第１作動アーム
１３  第２作動アーム
１４  係合ピン
１５  連動杆
１８  制御レバー
１９  移動軌跡
２２  連動切欠
２３  タイマー
２４  タイマー腕
２５  停止杆
２６  連結部
２７  セットレバー
２９  衝止部
【図１】
0004229415.tif 000002
【図２】
0004229415.tif 000003
【図３】
0004229415.tif 000004
【図４】
0004229415.tif 000005
【図５】
0004229415.tif 000006
【図６】
0004229415.tif 000007
【図７】
0004229415.tif 000008
【図８】
0004229415.tif 000009